(57)【要約】【課題】  地域によって放送時間や放送チャンネル等が異なる場合であっても、所望の番組を確実に視聴または録画することができる携帯型電子機器を提供する。【解決手段】  地域によって放送状況が異なる特定の番組の視聴および／または録画予約を行う予約設定部１６を備えた携帯電話１であって、特定の番組を視聴および／または録画するための予め記憶された予約情報と、現在地における上記特定の番組のプログラム情報とを比較して、異なっている場合には、上記予約情報をプログラム情報に基づいて更新する変更部４０を備えている。【選択図】  図１
2005244457.tif 000002
【特許請求の範囲】
【請求項１】
放送信号を受信する受信手段と、
特定の番組の受信予約を行う予約手段と、
上記予約手段によって予約された予約情報と、現在地における上記特定の番組のプログラム情報とを比較して、異なっている場合には、必要に応じて上記予約情報を上記プログラム情報に基づいて更新する変更手段とを備えることを特徴とする携帯型電子機器。
【請求項２】
上記受信予約は、視聴および／または記録に係る予約であることを特徴とする請求項１に記載の携帯型電子機器。
【請求項３】
機器の外部から上記プログラム情報を取得するプログラム情報取得手段を備えることを特徴とする請求項１記載の携帯型電子機器。
【請求項４】
現在地の位置情報を取得する位置情報取得手段を備え、
上記プログラム情報取得手段は、上記位置情報取得手段によって取得した位置情報に基づいて上記プログラム情報を取得するものであることを特徴とする請求項３記載の携帯型電子機器。
【請求項５】
上記プログラム情報取得手段が、予約情報と対応するプログラム情報がないと判断した場合に、上記変更手段は、上記予約情報を削除することを特徴とする請求項３記載の携帯型電子機器。
【請求項６】
上記プログラム情報取得手段が、予約情報と対応するプログラム情報がないと判断した場合に、予約情報と対応する番組情報がない旨を報知する報知手段が設けられていることを特徴とする請求項３記載の携帯型電子機器。
【請求項７】
上記変更手段によって予約情報を更新したことを報知する報知手段が設けられていることを特徴とする請求項１記載の携帯型電子機器。
【請求項８】
最初の予約情報に含まれている予約番組時刻情報に基づいて、上記特定の番組の開始時刻になったことを報知する報知手段を備えていることを特徴とする請求項１記載の携帯型電子機器。
【請求項９】
上記変更手段は、上記予約情報に含まれている予約番組時刻情報と、上記プログラム情報に含まれている現在地番組時刻情報とに基づいて、予約番組開始時刻が、現在地番組終了時刻より後であると判断すると上記予約情報を更新しないことを特徴とする請求項１記載の携帯型電子機器。
【請求項１０】
上記変更手段は、上記予約情報に含まれている予約番組時刻情報と、上記プログラム情報に含まれている現在地番組時刻情報とに基づいて、予約番組開始時刻が、現在地番組開始時刻と現在地番組終了時刻との間であると判断すると上記予約情報を更新することを特徴とする請求項１記載の携帯型電子機器。
【請求項１１】
特定の番組の受信予約によって予約された予約情報と、現在地における上記特定の番組のプログラム情報とを比較して、異なっている場合には、必要に応じて上記予約情報を上記プログラム情報に基づいて更新する変更工程とを含むことを特徴とする携帯型電子機器の制御方法。
【請求項１２】
請求項１〜１０のいずれか１項に記載の携帯型電子機器を動作させる携帯型電子機器の制御プログラムであって、コンピュータを上記の各手段として機能させるための携帯型電子機器の制御プログラム。
【請求項１３】
請求項１２に記載の携帯型電子機器の制御プログラムを記録したコンピュータ読み取り可能な記録媒体。
【発明の詳細な説明】
【技術分野】
【０００１】
本発明は、放送信号を受信可能な携帯型電子機器、および、携帯型電子機器の制御方法、プログラムおよび記録媒体に関するものであり、例えば、アナログＴＶ放送信号、地上波デジタルＴＶ放送信号またはラジオ放送信号等などの受信予約（放送信号の視聴予約および／または録画予約）を行うことができる携帯型電子機器、および、携帯型電子機器の制御方法、プログラムおよび記録媒体に関するものである。
【背景技術】
【０００２】
近年、携帯電話等の携帯型電子機器では、高機能化が進んでおり、例えば、テレビやラジオ等を視聴できるものが開発されている。ラジオやテレビ等の放送番組においては、受信地域（放送状況）が異なると、同じ番組であっても、チャンネル番号や、放送開始時刻等が変わる場合がある。
【０００３】
従って、例えば、携帯型電子機器を用いて、テレビ番組を観ながら、複数の地域を移動する場合であって、地域毎にチャンネル情報が異なっている場合には、ユーザ（視聴者）は、手動で、上記テレビ番組の選局・同調を行う必要がある。そこで、このような不便を解消する技術としては、例えば、特許文献１に示す技術がある。
【０００４】
特許文献１には、受信地区毎に、受信可能なチャンネルと周波数とをテーブル記憶させておき、受信地区が変わった場合には、上記テーブルを読み出して、変更前のチャンネルと対応する周波数に同調することが開示されている。
【特許文献１】特開平８−１６２９０９（公開日；１９９６年６月２１日）
【発明の開示】
【発明が解決しようとする課題】
【０００５】
しかしながら、上記公報の構成では、地域が変わった場合でも、同じ放送局に同調することはできるが、異なる地域では、同じ時間帯に同じ番組が放送されているか否かは分からない。つまり、異なる地域では、同じ番組であっても異なる時間帯に放送される場合がある。例えば、移動先の地域では、移動前の地域よりも早い時間に同じ番組を放送する場合がある。このような場合、ユーザは所望の番組を観ることができない。
【０００６】
本発明は、上記従来の問題に鑑みなされたものであり、その目的は、地域によって放送時間や放送チャンネル等が異なる場合であっても、所望の番組を確実に視聴または録画することができる携帯型電子機器を提供することにある。
【課題を解決するための手段】
【０００７】
本発明に係る携帯型電子機器は、上記課題を解決するために、放送信号を受信する受信手段と、特定の番組の受信予約を行う予約手段と、上記予約手段によって予約された予約情報と、現在地における上記特定の番組のプログラム情報とを比較して、異なっている場合には、必要に応じて上記予約情報を上記プログラム情報に基づいて更新する変更手段とを備えることを特徴としている。
【０００８】
上記プログラム情報には、番組の名前、チャンネル情報、および、開始時刻が少なくとも含まれている。さらに、上記プログラム情報には、番組の終了情報や、番組が放送波（電波）によって送信されてくる場合には、番組の周波数等が含まれていてもよい。そして、上記プログラム情報は、予約情報と対応している。つまり、予約情報に含まれている番組と、プログラム情報に含まれている番組とは同じである。
【０００９】
上記の構成によれば、予め視聴予約および／または録画予約等の受信予約がされている番組の予約情報を、地域が異なることにより現在地に合った予約情報でなくなった場合であっても、上記プログラム情報に基づいて、その地域に適合した予約情報に更新することができる。従って、ユーザは、所望の番組を見逃すことおよび／または録画できないことを防止することができる。
【００１０】
なお、上記番組とは、例えば、アナログテレビ、デジタルテレビ、ラジオ等の番組を示している。また、録画とは、画像を取り込むだけでなく、例えば、音声のみを取り込む場合も含まれる。
【００１１】
本発明に係る携帯型電子機器は、上記受信予約は、視聴および／または記録に係る予約である構成がより好ましい。なお、上記記録には、録画、録音等が含まれる。
【００１２】
本発明に係る携帯型電子機器は、機器の外部から上記プログラム情報を取得するプログラム情報取得手段を備える構成であることがより好ましい。
【００１３】
上記の構成によれば、機器の外部からプログラム情報を取得することができるので、携帯型電子機器自体に、予めプログラム情報を記憶させておく必要がない。また、常に新しいプログラム情報を取得することができる。
【００１４】
なお、外部としては、例えば、ＥＰＧ（Electronic Program Guide；電子番組ガイド）、Ｗｅｂサイト、ステーション（Station）サーバ、専用のサーバ等が挙げられる。
【００１５】
本発明に係る携帯型電子機器は、現在地の位置情報を取得する位置情報取得手段を備え、上記プログラム情報取得手段は、上記位置情報取得手段によって取得した位置情報に基づいて上記プログラム情報を取得するものである構成がより好ましい。
【００１６】
上記の構成によれば、位置情報取得手段を備えているので、例えば、ユーザが現在地の情報を入力する必要がなく、より正確な位置情報を取得することができる。また、上記プログラム情報取得手段は、上記取得された位置情報によってプログラム情報を取得しているので、正確なプログラム情報を取得することができる。
【００１７】
上記位置情報取得手段としては、例えば、ＧＰＳや、携帯電話等の通信端末である場合には、基地局の情報に基づいて判断するもの等が挙げられる。
【００１８】
本発明に係る携帯型電子機器は、上記プログラム情報取得手段が、予約情報と対応するプログラム情報がないと判断した場合に、上記変更手段は、上記予約情報を削除する構成であることがより好ましい。
【００１９】
上記の構成によれば、プログラム情報取得手段が、予約情報と対応するプログラム情報がないと判断した場合、変更手段は、上記予約情報を削除するようになっている。これにより、例えば、既に放送が終了している番組等の予約情報を削除することができるので、不要なデータが蓄積されることを防止することができる。
【００２０】
本発明に係る携帯型電子機器は、外部に報知する報知手段を備え、上記プログラム情報取得手段が、予約情報と対応するプログラム情報がないと判断した場合に、上記報知手段は、予約情報と対応する番組情報がない旨を報知する構成がより好ましい。
【００２１】
上記プログラム情報取得手段が予約情報と対応するプログラム情報がないと判断したということは、現在地では予約情報に含まれている番組が放送されていないことを意味している。上記の構成によれば、報知手段が予約情報と対応する番組情報がない旨を報知するので、ユーザは、現在地では上記特定の番組の視聴および／または録画を実行することができないことを知ることができる。
【００２２】
本発明に係る携帯型電子機器は、上記変更手段によって予約情報を更新したことを報知する報知手段が設けられている構成がより好ましい。
【００２３】
上記の構成とすることにより、予約情報を設定したユーザは、予約情報が更新されたことを知ることができる。また、例えば、ユーザがアラーム代わりに番組の視聴を利用している場合には、確実に特定の番組を視聴することよりも、特定の時間に番組を視聴することが重要になる。このような場合に、自動的に予約情報が更新されると、ユーザは所望の目的を達成することができない場合がある。そこで、上記の構成とすることにより、上記のような、特定の時間に視聴することを目的にしているユーザに対して、予約情報が更新したことを報知することができるので、ユーザの知らない間に予約時間が更新されていることを防止することができる。
【００２４】
本発明に係る携帯型電子機器は、最初の予約情報に含まれている予約番組時刻情報に基づいて、上記特定の番組の開始時刻になったことを報知する報知手段を備えている構成がより好ましい。
【００２５】
例えば、テレビ番組を目覚まし時計等のアラーム代わりにしているユーザがいる場合、当該ユーザは、最初の予約情報に含まれている特定の番組の視聴開始時間になると報知されることを望む。しかしながら、地域が変わることによって、特定の番組の開始時間が変動した場合には、当該特定の番組は、ユーザが所望する時間には始まらないので、目覚まし時計代わりにすることができない。
【００２６】
上記の構成によれば、報知手段は、変更手段によって変更されていない最初の予約情報になると報知するので、アラーム代わりに視聴予約をおこなっているユーザの目的を達成することができる。
【００２７】
本発明に係る携帯型電子機器は、上記変更手段は、上記予約情報に含まれている予約番組時刻情報と、上記プログラム情報に含まれている現在地番組時刻情報とに基づいて、予約番組開始時刻が、現在地番組終了時刻より後であると判断すると上記予約情報を更新しない構成がより好ましい。
【００２８】
予約番組時刻情報とは、予約している上記特定の番組の開始時刻と終了時刻とを含む情報である。また、現在地番組時刻情報とは、現在地における特定の番組の開始時刻と終了時刻とを含む情報である。上記予約番組開始時刻が、現在地番組終了時刻より後であるということは、既に上記番組が終了していることを意味している。つまり、上記番組が既に終了している場合には、予約情報を更新する必要がない。そして、上記「必要に応じて更新する」には、予約情報を更新した場合に予約を実行できるか否かを判断することが含まれる。
【００２９】
本発明に係る携帯型電子機器は、上記変更手段は、上記予約情報に含まれている予約番組時刻情報と、上記プログラム情報に含まれている現在地番組時刻情報とに基づいて、予約番組開始時刻が、現在地番組開始時刻と現在地番組終了時刻との間であると判断すると上記予約情報を更新する構成がより好ましい。
【００３０】
予約番組開始時刻が、現在地番組開始時刻と現在地番組終了時刻との間であるということは、現在地において上記特定の番組は放送中であることを意味している。上記の構成によれば、上記特定の番組が放送中であると判断した場合には、予約情報を更新するので、残りの番組を視聴または録画することができる。
【００３１】
本発明に係る携帯型電子機器の制御方法は、特定の番組の受信予約によって予約された予約情報と、現在地における上記特定の番組のプログラム情報とを比較して、異なっている場合には、必要に応じて上記予約情報を上記プログラム情報に基づいて更新する変更工程とを含むことを特徴としている。
【００３２】
上記の構成によれば、予め視聴予約および／または録画予約等の受信予約がされている番組の予約情報を、地域が異なることにより現在地に合った予約情報でなくなった場合であっても、上記プログラム情報に基づいて、その地域に適合した予約情報に更新することができる。従って、ユーザは、所望の番組を見逃すことおよび／または録画できないことを防止することができる。
【００３３】
また、本発明の携帯型電子機器の制御プログラムは、コンピュータを上記の各手段として機能させるコンピュータ・プログラムである。
【００３４】
上記の構成により、コンピュータで上記携帯型電子機器の各手段を実現することによって、上記携帯型電子機器を実現することができる。
【００３５】
また、本発明の携帯型電子機器の制御プログラムを記録したコンピュータ読み取り可能な記録媒体は、上記の各手段をコンピュータに実現させて、上記携帯型電子機器を動作させる携帯型電子機器の制御プログラムを記録したコンピュータ読み取り可能な記録媒体である。
【００３６】
上記の構成により、上記記録媒体から読み出された携帯型電子機器の制御プログラムによって、上記携帯型電子機器をコンピュータ上に実現することができる。
【発明の効果】
【００３７】
本発明に係る携帯型電子機器は、地域によって放送状況が異なる特定の番組の視聴および／または録画予約を行う予約手段を備えた携帯型電子機器であって、特定の番組を視聴および／または録画するための予め記憶された予約情報と、現在地における上記特定の番組のプログラム情報とを比較して、異なっている場合には、上記予約情報をプログラム情報に基づいて更新する変更手段を備える構成である。
【００３８】
それにより、予め視聴予約および／または録画予約されている番組の予約情報を、地域が異なることにより現在地に合った予約情報でなくなった場合であっても、上記プログラム情報に基づいて、その地域に適合した予約情報に更新することができる。従って、ユーザは、所望の番組を見逃すことおよび／または録画できないことを防止することができる。尚、携帯型電子機器では、バッテリーにより駆動させるが、一般的にチューナ動作、録画動作、再生動作、または視聴動作では電力を多く消費する。そこで無駄な受信予約を回避することで、機器の動作時間がむやみに短くなるといった問題を解決できる。また録画の場合には動画データを本体（内蔵又は取り外し可能な記録媒体）に記憶格納することになるが、一般的に動画データはデータ量が大きいことから、無駄な動画データを記憶すると、記憶容量を切迫し、他の静止画データやメールデータ等が保存できなくなり、動作に制限が出てくる。しかし、本発明にかかる携帯型電子機器の構成とすることにより、無駄な動画データを記憶・記録しないので上記のような問題は軽減できる。従って本発明はバッテリー駆動方式の携帯型電子機器に好適に採用できる。
【発明を実施するための最良の形態】
【００３９】
本発明の一実施形態について説明すると以下の通りである。尚、以下の説明では、携帯型電子機器として、地上波デジタル放送テレビの放送信号（放送波）を受信可能な受信部を備えた携帯電話を例にして説明するが、本発明はそれに限定されるものではなく、放送信号についても、アナログテレビ放送、衛星デジタル放送、ＦＭ／ＡＭラジオ放送などが含まれることはいうまでもない。また、携帯型電子機器としては、携帯電話に限らず、ＰＤＡ、ノートパソコン、デジタルカメラ、携帯型デジタルビデオレコーダ、オーディオプレーヤー等の携帯端末や、パソコン、テレビ電話、インターネットテレビ等も含まれる。
【００４０】
本実施の形態にかかる携帯電話（携帯型電子機器）１は、地域によって放送時間や放送チャンネル等が異なる場合であっても、所望の番組を確実に視聴または録画することができる構成である。具体的には、上記携帯電話１は、図２に示すように、概略的に、送受信部（受信部）２、ユーザＩＦ部３、制御部（制御手段）４および記憶部５を備えている。そして、この携帯電話１は、地上波デジタル放送を受信することができる。
【００４１】
送受信部２は、電波を受信または電波を送信する、携帯電話１の電波送受信インターフェースである。ユーザＩＦ部３は、携帯電話１のユーザインタフェースである。制御部４は、携帯電話１の各種構成を制御する。制御部４の機能は、例えばＲＡＭ（Random Access Memory）やフラッシュメモリなどの記憶装置に記憶されたプログラムを図示しないＣＰＵ（Central Processing Unit）が実行することによって実現される。制御部４の詳細な構成については後述する。記憶部５は、携帯電話１の記憶装置である。記憶部５には、ユーザによる設定を記録するための図示しない設定ファイル等が記憶される。具体的には、上記記憶部５には、例えば、制御部４が動作する際に必要なプログラム、通信制御データ等の固定データを記憶する読出し専用の半導体メモリであるＲＯＭや、バーコード認識や通信に関するデータ、演算に使用するデータ及び演算結果等を一時的に記憶するいわゆるワーキングメモリとしてのＲＡＭ等が含まれる。
【００４２】
より詳細には、送受信部２は、ＴＶ受信部６、アンテナ部１１、デコーダ部１３および無線処理部１４を含んでいる。そして、ＴＶ受信部（チューナ）６は、ＴＶアンテナ部１０とチューナモジュール１２とを含んでいる。
【００４３】
ＴＶ受信部６は、地上波デジタルテレビ放送を受信ものである。そして、ＴＶアンテナ部１０は、地上波デジタルテレビ放送を受信するためのアンテナである。
【００４４】
チューナモジュール１２は、後述する制御部４のＴＶチューナ制御部１５からの指示に応じて、ＴＶアンテナ部１０にて所定の周波数の電波を受信し、受信した信号を復調した後にデコーダ部１３へと出力する。このチューナモジュール１２は、地上波デジタルテレビ放送を受信するためのものであり、アナログのテレビ放送によるＮＴＳＣ（National Television System Committee）形式とは異なった形式を用いている。
【００４５】
デコーダ部１３は、映像データおよび音声データの符号化と復号化とを行う。例えば、チューナモジュール１２から入力されるデータを、映像データおよび音声データへと復号化して、ユーザＩＦ部３の表示部２０およびスピーカ２１へとそれぞれ出力する。すなわち、このデコーダ部１３は、ＴＳ  Ｄｅｍｕｘ（Transport Stream De-multiplex）として機能する。また、例えば映像データの規格にはＭＰＥＧ−４  Visualを用い、音声データの規格にはＭＰＥＧ−２  AACを用いる。デコーダ部１３の用いる規格はこれに限るものではなく、例えば動画像符号化技術の国際標準方式であるＨ．２６４／（ＭＰＥＧ−４  ＡＶＣ）等を用いてもよい。
【００４６】
アンテナ部１１は、携帯電話機能および電子メール機能に関する電波を送受信するためのアンテナである。
【００４７】
無線処理部１４は、外部からアンテナ部１１を介して受信した無線信号を復調し、復調したデータをデコーダ部１３に出力する。または、無線処理部１４は、デコーダ部１３から受信したデータを無線送信に適した形式に変調し、変調された無線信号を、アンテナ部１１を介して外部に送信する。また、無線処理部１４は、データの変復調処理に加えて、例えばチャンネルコーデック処理、ベースバンド信号処理、ＲＦ（Radio Frequency）処理などを行う。
【００４８】
また、デコーダ部１３は、例えば音声データとして、ユーザＩＦ部３の通話入力部２２から入力された音声データを符号化して、無線処理部１４へと出力する。また、デコーダ部１３は、例えば音声データとして、無線処理部１４から入力されたデータを、復号してユーザＩＦ部３の通話出力部２３へと出力する。
【００４９】
このデコーダ部１３は、例えば３ＧＰＰ（3rd Generation Partnership Project）で標準化された規格に準拠したコーデックとしても機能する。例えば、この携帯電話１はビデオ電話機能を備えており、デコーダ部１３は３ＧＰＰで標準化された３Ｇ−３２４Ｍのようなビデオ電話の規格に準拠している。３Ｇ−３２４Ｍで利用される映像データのコーデックの例としては、ＩＴＵ−Ｔ（International Telecommunications Union Telecommunication Standardization Sector）  Ｈ．２６３やＭＰＥＧ（Moving Picture Experts Group）−４が挙げられる。また、３Ｇ−３２４Ｍで利用される音声データのコーデックの例としては、ＧＳＭ（Global System for Mobile communication）−ＡＭＲ（Adaptive Multirate）等が挙げられる。
【００５０】
ユーザＩＦ部３は、表示部２０、スピーカ２１、通話入力部２２、通話出力部２３、撮影部２４、バイブ部２５および操作部２６を含んでいる。
【００５１】
表示部２０は、デコーダ部１３から入力される映像データに基づいて映像を表示する。スピーカ２１は、デコーダ部１３から入力される音声データに基づいて音声を出力する。また、スピーカ２１には、図示しないアンプなどの音声出力処理回路も含まれる。ユーザは、デコーダ部１３から入力される音声データのうち、どの音声データをスピーカ２１から出力するかを設定することができる。
【００５２】
通話入力部２２は、携帯電話１を電話機として用いる際に、ユーザの発する音声を音声データに変換し、デコーダ部１３へと出力する。通話入力部２２は、例えば、音波を電気信号に変換するマイクロホンと、Ａ／Ｄ変換器、アンプなどを含んでいる。
【００５３】
通話出力部２３は、携帯電話１を電話機として用いる際に、相手側の携帯電話から送信される音声データを音声に変換する。
【００５４】
撮影部２４は、被写体を撮影して映像データを生成し、デコーダ部１３に出力する。本実施形態の撮影部２４は、被写体からの光を電気信号に変換するＣＣＤ（Charge Coupled Device）を撮像素子として備えている。撮影部２４の構成としてはこれに限るものではなく、例えばＣＭＯＳ（Complementary Metal-oxide Semiconductor）などの撮像素子を用いる構成であってもよい。また、撮影部２４は、撮像素子からの電気信号をＲＧＢ各色のデジタル映像データに変換する映像処理回路を含んでいる。
【００５５】
バイブ部２５は、制御部４からの指示に基づき、携帯電話１を振動させる。ユーザは、バイブ部２５の振動するパターンおよび振動する時間を設定することができる。
【００５６】
操作部２６は、携帯電話１に設けられた入力デバイスである。この入力デバイスをユーザが操作することにより得た操作データを、操作部２６が制御部４へと出力する。入力デバイスとしては、ボタンスイッチやタッチパネルなどが挙げられる。
【００５７】
また、制御部４は、時計部（時計手段）７、ＴＶチューナ制御部１５、および電話機能部１７を含んでいる。なお、制御部４の構成はこれに限るものではなく、各手段の組み合わせは適宜異なっていてもよい。
【００５８】
時計部７は、時間を計測するReal Time Clock（RTC）である。時計部７は、例えば予め設定した所定の時刻となったか否か、または予め設定した所定の時間が経過したか否かを判別する。
【００５９】
ＴＶチューナ制御部１５は、ＴＶアンテナ部１０にて受信し、チューナモジュール１２にて検出する電波の周波数などを設定する。
【００６０】
電話機能部１７は、携帯電話１の電話機能についての機能ブロックである。電話機能部１７は、通話処理部３０、メール処理部３１、音楽制御部３２、ＪＡＶＡ（登録商標）処理部３３、Ｗｅｂ処理部３４、撮影制御部３５、映像制御部３６およびバイブ制御部３７を含んでいる。
【００６１】
通話処理部３０は、携帯電話１と他の携帯電話との通話処理、または他の無線送受信機との通信処理を制御する。通話処理部３０は、例えば通話入力部２２，通話出力部２３，送受信部２、および必要に応じて表示部２０、スピーカ２１、または撮影部２４などを制御する。
【００６２】
メール処理部３１は、携帯電話１におけるメール処理（作成、送受信など）を行う。音楽制御部３２は、携帯電話１における音楽再生を制御する。ＪＡＶＡ（登録商標）処理部３３は、携帯電話１におけるＪＡＶＡ（登録商標）処理を制御する。Ｗｅｂ処理部３４は、携帯電話１におけるＷｅｂ接続を制御する。撮影制御部３５は、撮影部２４を用いた、携帯電話１における撮影を制御する。映像制御部３６は、携帯電話１における映像再生を制御する。バイブ制御部３７は、バイブ部２５を用いた、携帯電話１における振動動作を制御する。
【００６３】
なお、上記制御部４は、各ブロック（時計部７、ＴＶチューナ制御部１５、予約設定部１６、電話機能部１７）が、ハードウェアロジックによって実現されてもよいし、これら機能のうちの少なくとも何れか一部を、次のようにＣＰＵを用いてソフトウェアによって実現されてもよい。
【００６４】
すなわち、携帯電話１の制御部４は、各ブロックの機能を実現する携帯電話１の制御方法の命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、制御部４は、上述した機能を実現するソフトウェアである携帯電話１の制御プログラムのプログラムコード（実行形式プログラム、中間コードプログラム、ソースプログラム）をコンピュータで読み取り可能に記録した記録媒体を、制御部４に供給し、そのコンピュータ（またはＣＰＵやＭＰＵ）が記録媒体に記録されているプログラムコードを読み出し実行することによっても、実現可能である。この場合、記録媒体から読み出されたプログラムコード自体が上述した機能を実現することになり、そのプログラムコードを記録した記録媒体は本発明を構成することになる。
【００６５】
このように本明細書において、手段（部）とは必ずしも物理的手段を意味するものではなく、各手段の機能がソフトウェアによって実現される場合も包含する。さらに、１つの手段の機能が、２つ以上の物理的手段により実現されても、もしくは、２つ以上の手段の機能が、１つの物理的手段により実現されてもよい。
【００６６】
ここで、本実施の形態に係る携帯電話１の要部の構成について、図１に基づいて説明する。図１は、携帯電話１のＴＶ番組の視聴予約および／または録画予約機能に係る部材を示し、予約設定部１６の詳細な構成を示すブロック図である。
【００６７】
予約設定部（予約手段）１６は、位置情報取得部（位置情報取得手段）４５、番組情報取得部（プログラム情報取得手段）４４、変更部（変更手段）４０、予約情報記憶部４３および予約実行部４６を備えている。
【００６８】
位置情報取得部４５は、送受信部２を介して、外部から携帯電話１の現在位置に関する情報を取得する。具体的には、例えば、位置情報取得部は、送受信部２のアンテナ部１１で受信した電波の基地局情報から、携帯電話１の現在位置に関する情報（位置情報）を取得する。そして、新たに取得した位置情報と以前の位置情報とが異なっているか否かを判断する。また、例えば、位置情報取得部４５がＧＰＳを有している場合には、このＧＰＳを用いて、位置情報を取得することができる。
【００６９】
番組情報取得部４４は、放送波（ＴＶ番組）の番組情報を取得する。具体的には、例えば、番組情報取得部４４は、送受信部２を介して、外部のＥＰＧに関する情報を記憶しているサーバ等から、現在位置における番組情報を取得する。
【００７０】
予約情報記憶部４３は、視聴予約および／または録画予約の予約情報を記憶している。上記予約情報は、ユーザＩＦ部３を介してユーザによって入力に基づいて作成されるものであってもよく、外部から送信されてくる情報に基づいて作成されるものであってもよく、また、ＥＰＧ等を用いて作成するものであってもよい。予約情報としては、例えば、番組名、番組の開始時刻、番組の終了時刻、チャンネル番号、および、放送波の場合には周波数等である。
【００７１】
予約実行部４６は、上記予約情報記憶部４３に記憶されている予約情報に基づいて、ＴＶ番組の視聴予約および／または録画予約を実行する。具体的には、予約実行部４６は、時計部７の時刻情報に基づいて、視聴予約および／または録画予約を実行する時間がくると、上記予約を実行する。具体的には、予約実行部４６は、ＴＶチューナ制御部１５を制御して、上記予約を実行する。
【００７２】
変更部４０は、予約情報記憶部４３に記憶されている予約情報が、現在位置における番組情報と一致しているか否かを判断し、異なっている場合には、予約情報を変更するものである。そして、変更部４０は、比較部４２および更新部４１を備えている。
【００７３】
上記比較部４２は、予約情報記憶部４３に記憶されている予約情報と、番組情報取得部４４が取得した番組情報とのそれぞれに記憶されているプログラム情報（例えば、番組名、番組の開始時刻および終了時刻、チャンネル情報等）を比較する。
【００７４】
更新部４１は、比較部４２の比較結果に基づいて、予約情報記憶部４３に記憶されている予約情報を更新する。具体的には、比較部４２が上記予約情報と番組情報とが異なると判断した場合には、更新部４１は、予約情報記憶部４３に記憶されている予約情報を、番組情報と同じ情報になるように更新する。
【００７５】
以下に、上記予約設定部１６における具体的な処理の流れについて説明する。まず、位置情報取得部４５は、送受信部２のアンテナ部を介して、基地局情報が変わったと判断すると、番組情報取得部４４に、基地局が変わった旨と現在の位置情報とを送信する。
【００７６】
番組情報取得部４４では、上記位置情報取得部４５から位置情報を受信すると、予約情報記憶部４３に記憶されている予約情報の番組名と同じ番組情報を、外部から取得する。具体的には、番組情報取得部４４は、例えば、外部のＥＰＧ情報を記憶しているサーバに、地域情報と予約情報に含まれる番組の情報（予約番組情報）とを送信する。一方、ＥＰＧ情報を記憶しているサーバでは、上記番組情報取得部から受信した地域情報と予約番組情報とに基づいて、携帯電話１の現在の位置と対応した番組情報を、携帯電話１に送信する。つまり、番組情報取得部４４は、携帯電話１の現在の位置における予約情報に含まれる番組名と同じ番組の番組情報を取得する。そして、番組情報取得部４４は、取得した番組情報を比較部４２に送信する。
【００７７】
番組情報を受信した比較部４２は、当該番組情報と予約情報とを比較して、両者の情報が同じであるか否かを判断する。具体的には、番組情報と予約情報とに含まれている番組開始時刻および終了時刻、チャンネル情報（放送波の場合には周波数）等のプログラム情報が同じであるか否かを判断する。そして、異なっていると判断した場合には、番組情報を更新部４１に送信する。
【００７８】
更新部４１は、番組情報を受信すると、予約情報記憶部４３に記憶されている予約情報を、当該番組情報に書き換える。
【００７９】
図３は、本実施の形態にかかる位置情報に応じて予約情報を更新する処理を示すフローチャートである。次に、予約設定部１６において、予約情報を更新する処理について、図３のフローチャートを参照して説明する。
【００８０】
まず、位置情報取得部４５は、現在の地域が変動したか否かを判断する（Ｓ１０）。そして、上記ステップＳ１０にて、現在の地域が変動したと判断する（Ｓ１０；ＹＥＳ）と、新たに取得した位置情報を番組情報取得部４４に送信する。
【００８１】
次に、番組情報取得部４４は、位置情報取得部４５から位置情報を受信すると、予約情報記憶部４３を参照して予約（視聴予約および／または録画予約）が行われているか否かを判断する（Ｓ１１）。
【００８２】
そして、上記ステップＳ１１にて、予約が行われていると判断する（Ｓ１１；ＹＥＳ）と、番組情報取得部４４は、現在地の位置情報と予約情報記憶部４３に記憶されている予約情報に含まれているプログラム情報のうちの番組名とを送受信部２を介して、外部のサーバ等に送信する。そして、外部のサーバでは、受信した位置情報と番組名とから、位置情報と対応した上記番組名にかかる番組情報を取得し、番組情報取得部４４に送信する。そして、番組情報取得部４４は、位置情報に基づいた番組情報を取得する（Ｓ１２）。その後、番組情報取得部４４は、取得した番組情報を比較部４２に送信する。
【００８３】
そして、比較部４２では、番組情報取得部４４から番組情報が送信されてきたか否かを判断する。換言すると、比較部４２は、その地域における、上記予約情報に対応する番組情報があるか否かを判断する（Ｓ１３）。
【００８４】
上記ステップＳ１３にて、予約情報と対応する番組情報があると判断する（Ｓ１３；ＹＥＳ）と、比較部４２は、受信した番組情報と、予約情報記憶部４３に記憶されている予約情報とのそれぞれのプログラム情報を比較し、２つのプログラム情報が同じであるか否かを判断する（Ｓ１４）。
【００８５】
上記ステップＳ１４にて、２つのプログラム情報が異なると判断する（Ｓ１４；ＮＯ）と、比較部４２は、予約情報の更新が必要であるか否かを判断する（Ｓ１５）。具体的には、例えば、予約情報に含まれる予約番組開始時刻が、現在地における番組情報に含まれる現在地番組終了時刻よりも後である場合、現在地では既に上記番組は終了しているために、当該番組を視聴および／または録画（録音）することができない。従って、この場合には、予約情報の更新が必要ないと判断する。つまり、予約情報を上記番組情報に更新した場合には、本発明における目的を達成することができない。従って、この場合には、更新を行う必要がない。つまり、更新が必要か否かを判断するということは本発明における目的を達成することができるか否かを判断することを意味している。
【００８６】
また、上記ステップＳ１５にて、例えば、比較部４２は、予約情報に含まれる予約番組開始時刻が、現在地における番組情報の番組開始時刻と番組終了時刻との間、つまり、現在地では上記特定の番組が放送中であると判断すると、予約情報の更新を行うようにしてもよい。この場合には、予約実行部４６は、更新された予約情報に基づいて直ちに番組の視聴および／または録画を開始する。つまり、更新が必要であると判断する。
【００８７】
上記ステップＳ１５にて、予約情報の更新が必要であると判断した場合、比較部４２は、番組情報を更新部４１に送信する。そして、更新部４１は、予約情報記憶部４３に記憶されている予約情報を、上記番組情報に基づいて更新する（Ｓ１６）。そして、上記更新部４１は、予約情報の更新を終了すると、ユーザＩＦ部３を介して、予約情報を更新した旨を報知する（Ｓ１７）。なお、上記ステップＳ１５にて、更新の必要がないと判断した場合には、処理を終了する。
【００８８】
一方、上記ステップＳ１１にて、予約が行われていないと判断する（Ｓ１１；ＮＯ）、換言すると、予約情報記憶部４３に予約情報が記憶していないと判断すると処理を終了する。
【００８９】
また、上記ステップＳ１３にて、同じ番組情報がないと判断する（Ｓ１３；ＮＯ）と、比較部４２は、ユーザＩＦ部３を介して、位置情報取得部が取得した位置情報における現在地では、予約した番組が放送されていない旨を報知する（Ｓ１８）。
【００９０】
そして、比較部４２は、予約情報記憶部４３に記憶されている予約情報を保留しておくか否かを判断する（Ｓ１９）。
【００９１】
上記ステップＳ１９にて、予約情報を保留すると判断する（Ｓ１９；ＹＥＳ）と、処理はＳ１０に進む。一方、上記ステップＳ１９にて、予約情報を保留しないと判断する（Ｓ１９；ＮＯ）、換言すると、予約情報を破棄すると判断すると、比較部４２は、予約情報記憶部４３に記憶されている予約情報を削除する（Ｓ２０）。そして、処理を終了する。
【００９２】
また、上記ステップＳ１４にて、予約情報と番組情報とのプログラム情報が同じであると判断する（Ｓ１４；ＹＥＳ）と更新処理を行わずに処理を終了する。
【００９３】
なお、上記の説明では、予約情報の更新が必要であるか否かを判断しているが、例えば、放送状況が異なる地域に頻繁に行き来する場合等には、更新する必要があるか否かの判断を行うことなく、予約情報と番組情報とが異なる場合には、全て更新するようにしてもよい。例えば、放送状況の異なる地域を頻繁に行き来する場合には、或る地域で放送が終了していた場合も違う地域では未だ放送していない場合がある。このような場合、一旦予約情報を既に番組が終了している旨のプログラム情報に更新した場合でも、異なる地域に移動することにより、未だ放送していない予約情報に更新されることがある。つまり、必要に応じて予約情報の更新を行うか否かについては、設定により判断基準を変えてもよい。つまり、予約情報と番組情報とが異なっている場合には、全て予約情報を更新してもよいし、予約情報と番組情報との番組時刻情報によって特定の条件を満足する場合のみ、予約情報を更新するようにしてもよい。なお、上記放送状況とは、例えば、放送時間、放送されるチャンネル、放送波の場合には放送周波数を示している。例え同じ番組であっても、地域によって放送開始時間（放送終了時間）が異なっていたり、放送されるチャンネルが異なっていたりする場合がある。
【００９４】
以上のように、本実施の形態にかかる携帯電話１は、地域によって放送状況が異なる特定の番組の視聴および／または録画予約を行う予約設定部１６を備えた携帯電話１であって、特定の番組を視聴および／または録画するための予め記憶された予約情報と、現在地における上記特定の番組のプログラム情報とを比較して、異なっている場合には、上記予約情報をプログラム情報に基づいて更新する変更部４０を備える構成である。
【００９５】
また、本実施の形態にかかる携帯電話１は、地域によって放送状況が異なる特定の番組の視聴および／または録画予約を行う予約設定部１６と、上記予約手段によって予約された予約情報と、現在地における上記特定の番組のプログラム情報とを比較して、異なっている場合には、上記予約情報を上記プログラム情報に基づいて更新する変更部４０とを備える構成としてもよい。
【００９６】
上記放送状況とは、例えば、放送時間、放送されるチャンネル、放送波の場合には放送周波数を示している。例え同じ番組であっても、地域によって放送開始時間（放送終了時間）が異なっていたり、放送されるチャンネルが異なっていたりする場合がある。
【００９７】
上記プログラム情報には、番組の名前、チャンネル情報、および、開始時刻が少なくとも含まれている。さらに、上記プログラム情報には、番組の終了情報や、番組が放送波（電波）によって送信されてくる場合には、番組の周波数等が含まれていてもよい。そして、上記プログラム情報は、予約情報と対応している。つまり、予約情報に含まれている番組と、プログラム情報に含まれている番組とは同じである。
【００９８】
上記の構成によれば、予め視聴予約および／または録画予約されている番組の予約情報を、地域が異なることにより現在地に合った予約情報でなくなった場合であっても、上記プログラム情報に基づいて、その地域に適合した予約情報に更新することができる。従って、ユーザは、所望の番組を見逃すことおよび／または録画できないことを防止することができる。
【００９９】
なお、上記番組とは、例えば、アナログテレビ、デジタルテレビ、ラジオ等の番組を示している。また、録画とは、画像を取り込むだけでなく、例えば、音声のみを取り込む場合も含まれる。
【０１００】
本発明に係る携帯電話１は、外部から上記プログラム情報を取得する番組情報取得部４４を備える構成であることがより好ましい。
【０１０１】
上記の構成によれば、外部からプログラム情報を取得することができるので、携帯電話１自体に、予めプログラム情報を記憶させておく必要がない。また、常に新しいプログラム情報を取得することができる。
【０１０２】
なお、外部としては、例えば、ＥＰＧ（Electronic Program Guide；電子番組ガイド）、Ｗｅｂサイト、ステーション（Station）サーバ、専用のサーバ等が挙げられる。
【０１０３】
具体的には、例えば、本発明に係る携帯電話１は、図６に示すように、放送局からＴＶ番組に関する放送波を受信するとともに、基地局から通話やメールに関する電波を受信する。そして、基地局は、携帯電話網を介してインターネット等のネットワーク網に接続されている。そして、上記ネットワーク網は番組情報配信するための各種サーバやネットワーク（ＥＰＧ配信サーバ、Ｗｅｂサイト、Stationサーバ、ｉ−ｍｏｄｅ（登録商標）サーバ）に接続されている。また、基地局は、上記携帯電話１に対して、当該基地局が設置されている位置情報に関する情報を送信することができる。また、携帯電話１は、上記各種だー場やネットワークを介して、現在地におけるプログラム情報を取得することができる。
【０１０４】
また、上記携帯電話１は、基地局から現在位置に関する情報を取得することで、ＴＶ番組等の放送波を受信する最適な放送局を知ることができる。例えば、放送局Ａから放送される放送波を受信できる地域にあった携帯電話１が、移動した場合、基地局からの位置情報に基づいて、現在地において受信する放送波は、放送局Ｂから出されていることを知ることができる。
【０１０５】
本発明に係る携帯電話１は、現在地の位置情報を取得する位置情報取得部４５を備え、上記番組情報取得部４４は、取得した位置情報に基づいて上記プログラム情報を取得するものである構成がより好ましい。
【０１０６】
上記の構成によれば、位置情報取得部４５を備えているので、例えば、ユーザが現在地の情報を入力する必要がなく、より正確な位置情報を取得することができる。また、上記番組情報取得部４４は、上記取得された位置情報によってプログラム情報を取得しているので、正確なプログラム情報を取得することができる。
【０１０７】
上記位置情報取得部４５としては、例えば、ＧＰＳや、携帯電話等の通信端末である場合には、基地局の情報に基づいて判断するもの等が挙げられる。
【０１０８】
本発明に係る携帯電話１は、上記番組情報取得部４４が、予約情報と対応するプログラム情報がないと判断した場合、変更部４０は、上記予約情報を削除する構成であることがより好ましい。
【０１０９】
上記の構成によれば、番組情報取得部４４が、予約情報と対応するプログラム情報がないと判断した場合、変更部４０は、上記予約情報を削除するようになっている。これにより、例えば、既に放送が終了している番組等の予約情報を削除することができるので、不要なデータが蓄積されることを防止することができる。
【０１１０】
本発明に係る携帯電話１は、外部に報知するユーザＩＦ部３（表示部２０、スピーカ２１、バイブ部２６）を備え、上記番組情報取得部４４が、予約情報と対応するプログラム情報がないと判断した場合、ユーザＩＦ部３は、予約情報と対応する番組情報がない旨を報知する構成がより好ましい。
【０１１１】
上記番組情報取得部４４が予約情報と対応するプログラム情報がないと判断したということは、現在地では予約情報に含まれている番組が放送されていないことを意味している。上記の構成によれば、ユーザＩＦ部３が予約情報と対応する番組情報がない旨を報知するので、ユーザは、現在地では上記特定の番組の視聴および／または録画を実行することができないことを知ることができる。
【０１１２】
本発明に係る携帯電話１は、外部に報知するユーザＩＦ部３を備え、上記ユーザＩＦ部３は、予約情報を更新したことを報知するものである構成がより好ましい。
【０１１３】
上記の構成とすることにより、予約情報を設定したユーザは、予約情報が更新されたことを知ることができる。また、例えば、ユーザがアラーム代わりに番組の視聴を利用している場合には、確実に特定の番組を視聴することよりも、特定の時間に番組を視聴することが重要になる。このような場合に、自動的に予約情報が更新されると、ユーザは所望の目的を達成することができない場合がある。そこで、上記の構成とすることにより、上記のような、特定の時間に視聴することを目的にしているユーザに対して、予約情報が更新したことを報知することができるので、ユーザの知らない間に予約時間が更新されていることを防止することができる。
【０１１４】
本発明に係る携帯電話１は、外部に報知するユーザＩＦ部３を備え、上記変更部４０は、最初の予約情報を記憶しておくものであり、上記予約情報には、上記特定の番組の視聴を開始する開始時間が含まれており、上記ユーザＩＦ部３は、上記開始時間になると報知する構成がより好ましい。
【０１１５】
例えば、テレビ番組を目覚まし時計等のアラーム代わりにしているユーザがいる場合、当該ユーザは、最初の予約情報に含まれている特定の番組の視聴開始時間になると報知されることを望む。しかしながら、地域が変わることによって、特定の番組の開始時間が変動した場合には、当該特定の番組は、ユーザが所望する時間には始まらないので、目覚まし時計代わりにすることができない。
【０１１６】
上記の構成によれば、ユーザＩＦ部３は、変更部４０によって変更されていない最初の予約情報になると報知するので、アラーム代わりに視聴予約をおこなっているユーザの目的を達成することができる。
【０１１７】
本発明に係る携帯電話１は、上記変更部４０は、上記予約情報に含まれている予約番組時刻情報と、上記プログラム情報に含まれている現在地番組時刻情報とに基づいて、予約番組開始時刻が、現在地番組終了時刻より後であると判断すると上記予約情報を更新しない構成であることがより好ましい。
【０１１８】
予約番組時刻情報とは、予約している上記特定の番組の開始時刻と終了時刻とを含む情報である。また、現在地番組時刻情報とは、現在地における特定の番組の開始時刻と終了時刻とを含む情報である。上記予約番組開始時刻が、現在地番組終了時刻より後であるということは、既に上記番組が終了していることを意味している。つまり、上記番組が既に終了している場合には、予約情報を更新する必要がない。
【０１１９】
本発明に係る携帯電話１は、上記変更部４０は、上記予約情報に含まれている予約番組時刻情報と、上記プログラム情報に含まれている現在地番組時刻情報とに基づいて、予約番組開始時刻が、現在地番組開始時刻と現在地番組終了時刻との間であると判断すると上記予約情報を更新する構成がより好ましい。
【０１２０】
予約番組開始時刻が、現在地番組開始時刻と現在地番組終了時刻との間であるということは、現在地において上記特定の番組は放送中であることを意味している。上記の構成によれば、上記特定の番組が放送中であると判断した場合には、予約情報を更新するので、残りの番組を視聴または録画することができる。
【０１２１】
本発明に係る携帯電話１手段の制御方法は、地域によって放送状況が異なる特定の番組の視聴および／または録画予約を行う予約工程と、特定の番組を視聴および／または録画するための予め記憶された予約情報と、現在地における上記特定の番組のプログラム情報とを比較して、異なっている場合には、上記予約情報をプログラム情報に基づいて更新する変更工程とを含む構成である。
【０１２２】
上記の構成によれば、予め視聴予約および／または録画予約されている番組の予約情報を、地域が異なることにより現在地に合った予約情報でなくなった場合であっても、上記プログラム情報に基づいて、その地域に適合した予約情報に更新することができる。従って、ユーザは、所望の番組を見逃すことおよび／または録画できないことを防止することができる。
【０１２３】
また、本発明の携帯電話１の制御プログラムは、コンピュータを上記の各手段として機能させるコンピュータ・プログラムである。
【０１２４】
上記の構成により、コンピュータで上記携帯電話１の各手段を実現することによって、上記携帯電話１を実現することができる。
【０１２５】
また、本発明の携帯電話１の制御プログラムを記録したコンピュータ読み取り可能な記録媒体は、上記の各手段をコンピュータに実現させて、上記携帯電話１を動作させる携帯電話１の制御プログラムを記録したコンピュータ読み取り可能な記録媒体である。
【０１２６】
上記の構成により、上記記録媒体から読み出された携帯電話１の制御プログラムによって、上記携帯電話１をコンピュータ上に実現することができる。
【０１２７】
なお、上記の説明では、番組情報取得部４４は、新たな位置情報を受信すると、予約が行われているか否かを判断する例について説明している。しかしながら、例えば、位置情報を取得するものが例えば、ＧＰＳのように携帯電話１において常に使用しない回路を用いて位置情報を取得する場合、まず、予約が行われているか否かを判断し、行われている場合のみ、位置情報取得部４５を動作させるようになっていてもよい。このようにすることで、携帯電話１の消費電力を下げることができる。
【０１２８】
なお、上記の説明では、番組情報取得部４４は、予約情報に含まれる番組名と同じ番組情報を取得している。しかしながら、番組情報を取得する方法としては、番組名に限られるものではなく、番組を識別できる識別情報を用いて番組情報を取得すればよい。
【０１２９】
また、上記の説明では、番組情報と予約情報とが異なっている場合に、予約情報を番組情報に書き換える例について説明している。しかしながら、例えば、ユーザによっては、視聴予約をアラーム（目覚まし時計）代わりに使用する場合がある。この場合、番組情報と予約情報とで、番組の開始時刻が異なっている場合には、ユーザは、アラームとしての予約の目的を達成することができない。そこで、このような問題を解決するために、例えば、更新部４１は、最初の予約情報とは別に番組情報を記憶してもよい。そして、最初の予約情報に基づいて、ユーザに報知するようにしてもよい。つまり、最初と変更後との２つの予約情報を記憶しておき（最初の予約情報については予約情報の更新とは関係なく記憶しておき）、変更後の予約情報に基づいて視聴予約を行うとともに、最初の予約情報については、番組を放送することなく（番組を放送してもよい）、ユーザが設定した時刻に報知するようにしてもよい。なお、上記最初の予約情報とは、ユーザによって設定された予約情報を示す。
【０１３０】
また、上記の説明では、位置情報取得部４５は、新たに取得した位置情報と取得前の位置情報とが同じであるか否かを判断する例について説明した。しかしながら、例えば、異なる地域であっても、同じ放送状況である場合もある。そこで、例えば、位置情報取得手段には、同じ放送状況である地域を記憶したテーブルを予め作成しておくことで、同じ放送状況の場合には、番組情報取得部４４を動作させる必要がないので、消費電力を少なくすることができる。
【０１３１】
また、例えば、ＥＰＧ等を用いて、予約情報の更新を行う場合、番組情報取得部４４は、全ての予約情報記憶部４３に記憶されている番組を含む全ての番組情報を取得した後、予約情報記憶部に含まれている予約情報に該当するプログラム情報を検出するようにしてもよい。このようにして、携帯電話１側で、全ての番組情報を取り込んだ後、予約情報に該当するプログラム情報を検出する構成とすることで、外部のサーバ（例えば、ＥＰＧサーバ）等の処理を減らすことができる。つまり、携帯電話１側で、位置情報におけるＥＰＧの全てを取得した後、取得したＥＰＧを用いて予約情報と対応した番組情報を取得してもよい。
【０１３２】
また、ユーザが予約情報を作成する方法としては、例えば、ユーザがユーザＩＦ部３を介して直接入力することにより作成してもよく、ＥＰＧ、Ｗｅｂ、ステーション（プッシュ型自動配信）等を用いて作成してもよく、また、例えば、他のユーザから送信されてきた番組情報に基づいて作成してもよい。
【０１３３】
ところで、例えば、位置情報に基づいて、予約情報を書き換えた結果、同じ時間帯に複数の番組の視聴予約および／または録画予約が重なる場合がある。つまり、同じ時間帯に異なるチャンネルで異なる番組が放送される場合がある。また、例えば、野球中継のように番組の放送時間が延長することによって重なる場合がある。このような場合、携帯電話１に備えられたチューナが複数ある場合には問題にならないが、１つしかない場合、または、重なった番組の数よりもチューナの数が少ない場合には、視聴または録画できない番組が発生する。このような問題を解決するために、本実施の形態にかかる携帯電話１では、予約情報を作成する際に、番組毎に優先度情報を付加してもよい。そして、番組が重なった場合には、優先度の高い番組の予約情報に基づいて視聴および／または録画を実行するようにしてもよい。これについて以下に説明する。
【０１３４】
図４は、予約情報を更新したことによる、同じ時間帯に複数の番組の視聴および／または録画予約が重なった場合における処理を示すフローチャートである。
【０１３５】
まず、更新部４１は、番組情報に基づいて予約情報を更新する（Ｓ１６）。そして、更新後の複数の番組における予約情報の視聴および／または録画予約の時間帯が重なったか否かを判断する（Ｓ２１）。
【０１３６】
上記ステップＳ２１にて、重なったと判断する（Ｓ２１；ＹＥＳ）と、更新部４１は、ユーザＩＦ部３を動作させて、予約情報が重なったことを報知する（Ｓ２２）。一方、上記ステップＳ２１にて、重なっていないと判断する（Ｓ２１；ＮＯ）と、処理を終了する。なお、予約情報が同じ時間帯で重なった場合には、予約実行部４６は、優先度の高い予約情報に基づき、視聴および／または録画を実行する。
【０１３７】
また、本実施の形態にかかる携帯電話１では、ＴＶ番組受信用のチューナを２つ備えていてもよい。この場合には、例えば、ＴＶ番組の視聴および／または録画を行っている際に、放送状況の異なる地域に移動した場合による、視聴できないまたは録画できないという問題を解消することができる。これについて以下のフローチャートを参照して説明する。
【０１３８】
図５は、２つのＴＶ番組チューナを備える携帯電話１における地域が異なった場合における受信電波を選択する方法を示すフローチャートである。
【０１３９】
まず、予約および／または録画を行っている最中（Ｓ３０）に、位置情報取得部４５は、放送状況の異なる地域に移動したか否かを判断する。換言すると、位置情報取得部４５は、取得した位置情報と取得前の位置情報とを比較して、放送状況の異なる地域へ本携帯電話１の位置が移動したか否かを判断する（Ｓ３１）。
【０１４０】
上記ステップＳ３１にて、放送状況の異なる地域に移動したと判断する（Ｓ３１；ＹＥＳ）と、位置情報取得部４５は、ＴＶチューナ制御部１５を動作させて、２つ目のＴＶ番組を放送していないチューナ（第２チューナ）を用いて、既に取得している放送波に対応するＴＶ番組が他にあるかスキャンする（Ｓ３２）。つまり、異なるチャンネルで同じＴＶ番組が放送されているか否かを調べるために放送波のスキャンを行う。
【０１４１】
そして、ＴＶチューナ制御部１５は、異なるチャンネルで同じ番組が放送されているか否かを判断する（Ｓ３３）。
【０１４２】
上記ステップＳ３３にて、異なるチャンネルで同じＴＶ番組を放送していると判断する（Ｓ３３；ＹＥＳ）と、ＴＶチューナ制御部１５は、２つのチューナのうち、電波状況がよい方の放送波を受信する（Ｓ３４）。
【０１４３】
なお、上記ステップＳ３３にて、異なるチャンネルで同じＴＶ番組を放送していないと判断する（Ｓ３３；ＮＯ）と、処理はステップＳ３１に戻る。
【０１４４】
このようにして、２本のチューナを有していることにより、例えば、視聴中および／または録画中である場合であっても常に電波状況のよい状態のＴＶ番組の視聴および／または録画を行うことができる。
【０１４５】
なお、現在地に関する位置情報を取得する手段としては、携帯電話１が受信する電波の基地局情報に基づいて取得する方法、ＧＰＳを用いて取得する方法、デジタルテレビ放送の放送波に含まれる情報に基づいて取得する方法、ユーザが位置情報（住所、電話番号、郵便番号等含む）を直接入力する方法等が挙げられる。
【０１４６】
また、本発明にかかる携帯電話１は、地域によって放送開始時間および／またはチャンネル情報とが少なくとも異なる特定の番組の視聴および／または録画予約を行う予約設定部１６を備えた携帯電話１であって、特定の番組を視聴および／または録画するための予め記憶された予約情報と、現在地における上記特定の番組が放送される放送開始時間および／またはチャンネル情報を少なくとも含むプログラム情報とを比較して、異なっている場合には、上記予約情報をプログラム情報に基づいて更新する変更部４０を備える構成であってもよい。
【０１４７】
また、本発明にかかる携帯電話１では、変更部４０の比較部４２が上記予約情報とプログラム情報とを比較した結果、特定の番組が既に終了していると判断した場合には、更新部４１は、予約情報を記憶しておくものであってもよい。例えば、或る地域で特定の番組の放送が終了している、または、特定の番組の放送がない場合であっても、異なる地域では、未だ放送していない場合がある。上記の構成とすることで、まだ、特定の番組が放送されていない地域に移動することで、視聴予約または録画予約を実行することができる。
【０１４８】
また、上記の説明では、デジタルテレビについて説明したが、例えば、アナログテレビであっても、好適に適用できることはいうまでもない。アナログテレビの場合には、例えば、番組情報取得部４４が、サーバに対して予約情報に含まれる番組周波数と位置情報とを送信し、現在地におけるプログラム情報を取得すればよい。
【０１４９】
また、本発明にかかる携帯電話１では、録画を開始する際に、記憶部５の容量を検出し、当該容量に応じて画質を変えて録画するようにしてもよい。つまり、番組時刻情報により、録画時間が算出できるので、当該録画時間に応じて画質を変えることにより、記憶部５の容量に関係なく番組全てを録画することができる。
【産業上の利用可能性】
【０１５０】
本発明に係る携帯型電子機器は、テレビ機能を有する携帯電話やＰＤＡ等に好適に適用できる。
【図面の簡単な説明】
【０１５１】
【図１】本発明の実施の形態にかかる携帯電話の要部の構成を示すブロック図である。
【図２】上記携帯電話の概略の構成を示すブロック図である。
【図３】本実施の形態にかかる位置情報に応じて予約情報を更新する処理を示すフローチャートである。
【図４】予約情報を更新したことによる、同じ時間帯に複数の番組の視聴および／または録画予約が重なった場合における処理を示すフローチャートである。
【図５】２つのＴＶ番組チューナを備える携帯電話における地域が異なった場合における受信電波を選択する方法を示すフローチャートである。
【図６】上記携帯電話の移動によって受信する放送波の放送局が異なることを説明する図面である。
【符号の説明】
【０１５２】
１    携帯電話（携帯型電子機器）
２    送受信部
３    ユーザＩＦ部
４    制御部
５    記憶部
６    ＴＶ受信部
７    時計部
１１  アンテナ部
１５  ＴＶチューナ制御部
１６  予約設定部（予約手段）
２０  表示部（報知手段）
２１  スピーカ（報知手段）
２６  操作部
４０  変更部（変更手段）
４１  更新部
４２  比較部
４３  予約情報記憶部（予約情報記憶手段）
４４  番組情報取得部（プログラム情報取得手段）
４５  位置情報取得部（位置情報取得手段）
４６  予約実行部
【図１】
2005244457.tif 000003
【図２】
2005244457.tif 000004
【図３】
2005244457.tif 000005
【図４】
2005244457.tif 000006
【図５】
2005244457.tif 000007
【図６】
2005244457.tif 000008